(57)【要約】【課題】  録画予約時にＣＭ削除機能の内容が確認できる記録装置を提供すること。【解決手段】  ＣＰＵ１１は、入力部１４を介してリモコン１５よりコマーシャルの削除情報を受け付けた場合に、当該情報がコマーシャルの削除を有効とする情報か否かを判断する。コマーシャルの削除を有効とする情報であることが判断されたときには、所定の種類の音声に対応する映像データを記録する内容の確認画面をＯＳＤ回路１６に表示させる。その後、再度、入力部１４を介してリモコン１５よりコマーシャルの削除を有効とする情報を受け付けたときに、ＲＡＭ１３に、コマーシャルの削除を有効とする情報を記憶させる。【選択図】        図１
2006014041.tif 000002
【特許請求の範囲】
【請求項１】
映像データを記録するためのデータ記録手段と、
前記映像データの放送の種類を、その音声の種類により識別するための識別手段と、
前記データ記録手段による映像データの記録動作についての、コマーシャルの削除情報を含む予約情報を受け付けるための予約情報受信手段と、
前記予約情報受信手段によって受け付けられた前記予約情報を記憶するための予約情報記憶手段と、
前記予約情報記憶手段に記憶された前記予約情報に基づいて、前記データ記録手段による映像データの記録動作を制御するためのデータ記録制御手段とを備え、
前記データ記録制御手段は、前記予約情報記憶手段に記憶された予約情報に、前記コマーシャルの削除を有効とする情報が含まれていたときには、前記識別手段によって所定の種類の音声であることが識別されたときに、前記所定の種類の音声に対応する前記映像データを記録し、前記所定の種類の音声とは別の種類の音声であることが識別されたときには、前記別の種類の音声に対応する前記映像データの記録を停止し、
前記予約情報受信手段によって前記コマーシャルの削除情報を受け付けた場合に、当該情報が前記コマーシャルの削除を有効とする情報か否かを判断するためのコマーシャル情報判断手段と、
前記コマーシャル情報判断手段によって前記コマーシャルの削除を有効とする情報であることが判断されたときには、再度、前記コマーシャルの削除を有効とするか否かを確認するための確認手段とをさらに備え、
前記確認手段は、
表示装置に、コマーシャルの削除を有効とした場合には前記所定の種類の音声に対応する前記映像データを記録する内容の確認画面を表示するための表示制御手段と、
前記表示制御手段によって前記確認画面が表示された後に、再度、前記コマーシャルの削除情報を受け付けるための確認情報受信手段とを含み、
前記確認情報受信手段により受け付けられた前記コマーシャルの削除情報が、再度、前記コマーシャルの削除を有効とする情報であるときに、前記予約情報記憶手段に、前記コマーシャルの削除を有効とする情報を記憶させる、記録装置。
【請求項２】
映像データを記録するためのデータ記録手段と、
前記映像データの放送の種類を、その音声の種類により識別するための識別手段と、
前記データ記録手段による映像データの記録動作についての、コマーシャルの削除情報を含む予約情報を受け付けるための予約情報受信手段と、
前記予約情報受信手段によって受け付けられた前記予約情報を記憶するための予約情報記憶手段と、
前記予約情報記憶手段に記憶された前記予約情報に基づいて、前記データ記録手段による映像データの記録動作を制御するためのデータ記録制御手段とを備え、
前記データ記録制御手段は、前記予約情報記憶手段に記憶された予約情報に、前記コマーシャルの削除を有効とする情報が含まれていたときには、前記識別手段によって所定の種類の音声であることが識別されたときに、前記所定の種類の音声に対応する前記映像データを記録し、前記所定の種類の音声とは別の種類の音声であることが識別されたときには、前記別の種類の音声に対応する前記映像データの記録を停止し、
前記予約情報受信手段によって前記コマーシャルの削除情報を受け付けた場合に、当該情報が前記コマーシャルの削除を有効とする情報か否かを判断するためのコマーシャル情報判断手段と、
前記コマーシャル情報判断手段によって前記コマーシャルの削除を有効とする情報であることが判断されたときには、再度、前記コマーシャルの削除を有効とするか否かを確認するための確認手段とをさらに備える、記録装置。
【請求項３】
前記確認手段は、
表示装置に前記コマーシャルの削除情報に関する確認画面を表示するための表示制御手段と、
前記表示制御手段によって前記確認画面が表示された後に、再度、前記コマーシャルの削除情報を受け付けるための確認情報受信手段とを含み、
前記確認情報受信手段により受け付けられた前記コマーシャルの削除情報が、再度、前記コマーシャルの削除を有効とする情報であるときに、前記予約情報記憶手段に、前記コマーシャルの削除を有効とする情報を記憶させる、請求項２に記載の記録装置。
【請求項４】
前記確認画面には、コマーシャルの削除を有効とした場合には前記所定の種類の音声に対応する前記映像データを記録する内容を表示させる、請求項３に記載の記録装置。
【発明の詳細な説明】
【技術分野】
【０００１】
この発明は、記録装置に関し、特に、コマーシャル削除機能を有する記録装置に関する。
【背景技術】
【０００２】
従来より、コマーシャル（ＣＭ）削除機能を有する記録装置が存在する。
【０００３】
テレビジョン放送において、ＡＭ変調された制御信号より、その周波数を利用して、たとえば、ステレオ放送と二重音声放送とを識別することができる。また、コマーシャル放送のほとんどがステレオ放送である。これらを利用して、自動モードを選択することでステレオ放送以外の放送を自動的に記録してＣＭカットを行なう記録再生装置がある（特許文献１参照）。
【０００４】
また、リモコン送信機にＣＭカットキーを予め設けた録画予約装置がある（特許文献２参照）。この録画予約装置において、二カ国語放送のみ録画するモード、ステレオ放送のみ録画するモード、モノラル放送のみ録画するモード、ワイドクリアビジョン放送のみ録画するモードとが選択可能とされる。
【特許文献１】特開平１１−２３２７２８号公報
【特許文献２】特開２０００−１１４８３号公報
【発明の開示】
【発明が解決しようとする課題】
【０００５】
特許文献２に記載の録画予約装置においては、ＣＭカットの設定をする場合、録画するテレビジョン放送の種類を選択するには、リモコンキーを複数回押さなければならないことがある。また、テレビジョン放送とコマーシャル放送との種類を把握して選択する必要があり、煩わしさがあった。
【０００６】
特許文献１に記載の記録再生装置においては、ＣＭカット機能の設定が正しいか否かを時間によって判定し、誤っていたと判断された場合には、ＣＭカット機能を自動的に解除する。この場合、その後の放送は全て録画することになる。そうすると、時間に関係なくステレオ放送以外の放送を録画したかった場合でも、一度誤っていたことが判断されると全て録画されてしまう。
【０００７】
この発明は、上記のような課題を解決するためになされたものであって、簡単にＣＭ削除を実現でき、録画予約時にＣＭ削除機能の内容が確認できる記録装置を提供するものである。
【課題を解決するための手段】
【０００８】
本発明のある局面に従う記録装置は、映像データを記録するためのデータ記録手段と、映像データの放送の種類を、その音声の種類により識別するための識別手段と、データ記録手段による映像データの記録動作についての、コマーシャルの削除情報を含む予約情報を受け付けるための予約情報受信手段と、予約情報受信手段によって受け付けられた予約情報を記憶するための予約情報記憶手段と、予約情報記憶手段に記憶された予約情報に基づいて、データ記録手段による映像データの記録動作を制御するためのデータ記録制御手段と、予約情報受信手段によってコマーシャルの削除情報を受け付けた場合に、当該情報がコマーシャルの削除を有効とする情報か否かを判断するためのコマーシャル情報判断手段と、コマーシャル情報判断手段によってコマーシャルの削除を有効とする情報であることが判断されたときには、再度、コマーシャルの削除を有効とするか否かを確認するための確認手段とを備える。
【０００９】
上述のデータ記録制御手段は、予約情報記憶手段に記憶された予約情報に、コマーシャルの削除を有効とする情報が含まれていたときには、識別手段によって所定の種類の音声であることが識別されたときに、所定の種類の音声に対応する映像データを記録し、所定の種類の音声とは別の種類の音声であることが識別されたときには、別の種類の音声に対応する映像データの記録を停止する。
【００１０】
また、上述の確認手段は、表示装置に、コマーシャルの削除を有効とした場合には所定の種類の音声に対応する映像データを記録する内容の確認画面を表示するための表示制御手段と、表示制御手段によって確認画面が表示された後に、再度、コマーシャルの削除情報を受け付けるための確認情報受信手段とを含み、確認情報受信手段により受け付けられたコマーシャルの削除情報が、再度、コマーシャルの削除を有効とする情報であるときに、予約情報記憶手段に、コマーシャルの削除を有効とする情報を記憶させる。
【００１１】
この発明の他の局面に従う記録装置は、映像データを記録するためのデータ記録手段と、映像データの放送の種類を、その音声の種類により識別するための識別手段と、データ記録手段による映像データの記録動作についての、コマーシャルの削除情報を含む予約情報を受け付けるための予約情報受信手段と、予約情報受信手段によって受け付けられた予約情報を記憶するための予約情報記憶手段と、予約情報記憶手段に記憶された予約情報に基づいて、データ記録手段による映像データの記録動作を制御するためのデータ記録制御手段とを備え、データ記録制御手段は、予約情報記憶手段に記憶された予約情報に、コマーシャルの削除を有効とする情報が含まれていたときには、識別手段によって所定の種類の音声であることが識別されたときに、所定の種類の音声に対応する映像データを記録し、所定の種類の音声とは別の種類の音声であることが識別されたときには、別の種類の音声に対応する映像データの記録を停止し、予約情報受信手段によってコマーシャルの削除情報を受け付けた場合に、当該情報がコマーシャルの削除を有効とする情報か否かを判断するためのコマーシャル情報判断手段と、コマーシャル情報判断手段によってコマーシャルの削除を有効とする情報であることが判断されたときには、再度、コマーシャルの削除を有効とするか否かを確認するための確認手段とをさらに備える。
【００１２】
好ましくは、確認手段は、表示装置にコマーシャルの削除情報に関する確認画面を表示するための表示制御手段と、表示制御手段によって確認画面が表示された後に、再度、コマーシャルの削除情報を受け付けるための確認情報受信手段とを含み、確認情報受信手段により受け付けられたコマーシャルの削除情報が、再度、コマーシャルの削除を有効とする情報であるときに、予約情報記憶手段に、コマーシャルの削除を有効とする情報を記憶させる。
【００１３】
好ましくは、確認画面には、コマーシャルの削除を有効とした場合には所定の種類の音声に対応する映像データを記録する内容を表示させる。
【発明の効果】
【００１４】
本発明によると、コマーシャル削除を設定すると、所定の種類の音声に対応する映像データのみを記録することとしたため、ユーザの操作が簡単になる。また、録画予約時に、ユーザがコマーシャルの削除を有効とした場合、さらに確認画面を表示するので、誤ってユーザが録画したい番組まで削除してしまうことを防止することができる。
【発明を実施するための最良の形態】
【００１５】
本発明の実施の形態について図面を参照しながら詳細に説明する。なお、図中同一または相当部分には同一符号を付してその説明は繰返さない。
【００１６】
図１には、この発明の実施の各形態に係る記録装置の構成が示される。図１を参照して記録装置はＴＶ（テレビジョン）放送を受信するＴＶアンテナ１、ＴＶアンテナ１により受信された放送信号から所望チャネルに対応の放送信号を抽出するためのチューニング動作を行なうチューナ２、チューナ２により抽出された放送信号について所定の符号化方式に従いデジタル信号に変換するデジタル変換部３、デジタル変換部３により変換されて出力されたデジタル信号より放送の種別を判断するための音声処理部４、音声処理部４を介して得られるデジタル信号をコード化してデジタルデータとして出力するエンコーダ５、エンコーダ５から出力されたデジタルデータが記録され、供給電力が断たれても記録内容を保持できるＨＤＤ（ハードディスクドライブ）６、ＨＤＤ６へのデジタルデータの書込および読出を制御する書込／読出制御部７、ＨＤＤ６から読出されたデジタルデータを入力してデコードし、デジタル信号を出力するデコーダ８、デコーダ８から出力されたデジタル信号を入力しアナログ信号に変換して出力するアナログ変換部９、およびアナログ変換部９から出力されたアナログ信号を入力して映像、音声などにして出力するためのＴＶ受像機などの出力部１０を備える。
【００１７】
さらに、図１の記録装置は、チューナ２のチューニング動作、エンコーダ５のエンコード動作、デコーダ８のデコード動作および書込／読出制御部７の動作を制御するためのＣＰＵ（中央処理装置の略）１１、ＣＰＵ１１がこれらを制御するための情報（プログラム、データなど）を記憶するためのＲＯＭ（Read Only Memory）１２とＲＡＭ（Random Access Memory）１３、外部に設けられたリモコン（リモートコントローラの略）１５からの赤外線信号による指令を受信し、データに変換して、ＣＰＵ１１に与える入力部１４およびＯＳＤ（on screen display）回路１６を備える。
【００１８】
ＲＡＭ１３には、録画予約情報に関するテーブルが作成される。テーブルには、録画予約番号ごとに、少なくとも、録画日付、録画チャンネル、録画開始時刻、録画終了時刻、ＣＭ削除情報が格納される。
【００１９】
ＯＳＤ回路１６はＣＰＵ１１から与えられるデジタル情報に基づく描画データを作成してアナログ変換部９に出力する。アナログ変換部９は描画データを入力すると、これとＨＤＤ６から読出されてデコーダ８を介して与えられるデータとをアナログデータに変換して出力部１０に出力するので、出力部１０には描画データの基づく画面においてＨＤＤ６から読出された動画（または静止画）が表示されることになる。
【００２０】
入力部１４は、リモコン１５からの指令を入力しない場合には、外部からの指令を入力するためのユーザにより操作される各種スイッチ、ボタンなどから構成されてもよい。
【００２１】
リモコン１５は、外部からユーザにより操作されるチャンネル指定などのためのテンキー１５０、削除ボタン１５１、決定ボタン１５２、カーソルキー１５３およびスキップボタン１５４を備える。カーソルキー１５３は上下左右のそれぞれの方向について出力部１０に表示されるカーソルなどのポイントを移動させるためのキーを含む。
【００２２】
なお、ＨＤＤ６についてのディスクへの情報の書込（記録）／読出（再生）はＣＰＵ１１の制御の下に読出／書込制御部７を介して行なわれる。
【００２３】
次に、図２に示したフローチャートを用いて、ＣＰＵ１１が実行する録画予約設定処理の流れを説明する。この録画予約設定処理は、ユーザがリモコン１５を操作することにより行なわれる。そして、リモコン１５より入力された各種情報が、ＣＰＵ１１によってＲＡＭ１３内のテーブルの各領域に記憶されることにより、録画予約が実行される。
【００２４】
図２を参照して、まずはじめに、ＣＰＵ１１は、録画予約に関する基本設定処理を行なう。基本設定処理は、録画日付を設定するための処理（ステップＳ１）、録画開始時刻を設定するための処理（ステップＳ２）、録画終了時刻を設定するための処理（ステップＳ３）、および、録画チャンネルを設定するための処理（ステップＳ４）である。なお、この基本設定処理は、この順に限らず、また、公知の技術により設定処理される。
【００２５】
そして、ＣＰＵ１１は、ステップＳ１〜Ｓ４の処理を経て基本設定処理を終了すると、ＣＭ削除設定処理を行なう（ステップＳ５）。
【００２６】
ここで、本実施の形態の記録装置におけるＣＭ削除機能について説明する。本実施の形態の記録装置において、ＣＭ削除機能とは、入力音声を利用したＣＭ削除方法である。ＣＭ放送の種類は、ほとんどがステレオ放送である。これを利用して、ＣＭ削除が有効として予約されると、その番組の放送中、多重音声放送のみを録画する。多重音声放送とは、テレビジョン放送に二つ以上の異なる音声を多重化して放送するものである。
【００２７】
本実施の形態の記録装置において、ＣＭ削除を有効とする情報が録画予約情報の一つとして登録がされているとすると、録画時に、音声処理部４によってその放送の種類が判断されることによりＣＭ削除が実行される。音声処理部４によって放送の種別が多重音声放送であることが判断された場合に記録処理がされ、音声処理部４によって放送の種別が多重音声放送以外であることが判断されると記録処理は停止される。
【００２８】
このように、本実施の形態において、多重音声放送とそれ以外とを識別することによりＣＭ削除を実行することとしたので、制御が容易となる。
【００２９】
図３は、ＣＰＵ１１が実行するＣＭ削除設定処理の流れを示すためのフローチャートである。
【００３０】
図３を参照して、ＣＭ削除設定処理では、ＣＰＵ１１は、まず、ＣＭ削除設定画面を表示装置に表示させる（ステップＳ１１）。ＣＭ削除設定画面では、ＣＭ削除を有効とするか無効とするかを選択できる表示がされる（図４（ａ）参照）。
【００３１】
ユーザが、リモコン１５を操作して、どちらかを選択する。たとえば、ユーザは、リモコン１５のカーソルキー１５３を操作してポイントを移動させることにより選択される。
【００３２】
そして、ユーザによって選択された内容を、入力部１４が受け取る。ＣＰＵ１１は、入力部１４に入力された情報を取得する（ステップＳ１２）。
【００３３】
ＣＰＵ１１は、取得したＣＭ削除に関する情報が、有効であるか無効であるかを判断する（ステップＳ１３）。そして、取得した情報が、ＣＭ削除を無効とする内容であることが判断された場合は、ＲＡＭ１３内のテーブルのＣＭ削除情報の領域に、ＣＭ削除無効として登録する（ステップＳ１８）。
【００３４】
一方、ステップＳ１３において、取得した情報が、ＣＭ削除を有効とする内容であることが判断された場合には、ＣＰＵ１１は、確認画面を表示させる（ステップＳ１４）。この確認画面では、多重音声放送のみ録画してよいかという確認メッセージを表示し、ＯＫまたはＮＯの選択ができる表示がされる（図４（ｂ）参照）。ここでもまた、たとえばユーザがリモコン１５のカーソルキー１５３を操作してポイントを移動させることにより、ＯＫまたはＮＯのいずれかが選択される。
【００３５】
そして、ＣＰＵ１１は、選択された情報を、入力部１４を介して受け付け（ステップＳ１５）、受け付けた情報が、ＣＭ削除をＯＫとする指示か否かを判断する（ステップＳ１６）。
【００３６】
受け付けた情報が、多重音声放送のみ録画することをＯＫとする指示であることが判断されると（ステップＳ１６においてＹＥＳ）、ＲＡＭ１３内のテーブルのＣＭ削除情報の領域に、ＣＭ削除有効として登録する（ステップＳ１７）。一方、受け付けた情報が、多重音声放送のみ録画することをＮＯとする指示であることが判断されると（ステップＳ１６においてＹＥＳ）、ＲＡＭ１３内のテーブルのＣＭ削除情報の領域に、ＣＭ削除有効として登録する（ステップＳ１７）。
【００３７】
上述のステップＳ１７およびステップＳ１８のＣＭ削除情報の登録処理がなされると、ＣＭ削除設定処理を終了する。
【００３８】
上述のようにステップＳ１３において、ユーザによってＣＭ削除を有効とする選択がされたとしても、すぐにステップＳ１７およびＳ１８のような登録処理をしないため、録画したい番組が記録されない危険性を防止することができる。たとえば、ユーザが、本実施の形態における記録装置のＣＭ削除機能がどのようなものかを知らないで有効としてしまった場合などが考えられる。このような場合、実際のテレビジョン放送の種類がステレオ放送やモノラル放送であったときには、番組全てが記録されないということになる。
【００３９】
本実施の形態における記録装置では、ステップＳ１６において、再度ユーザに確認させることにより、ＣＭ削除を有効にすると、多重音声放送のみが録画されることを知らせることができる。その番組が、多重音声放送であるか否かは、ユーザ自身が新聞や雑誌等の番組表で確認することができる。したがって、録画したい番組が多重音声放送以外の放送種であった場合には、ＣＭ削除を無効にして登録しなければならないということが分かる。
【００４０】
図４は、ＣＭ削除設定時の画面表示例を示すための図である。
【００４１】
図４（ａ）には、図３のステップＳ１１において表示されるＣＭ削除設定画面の一例が示される。図４（ｂ）には、図３のステップＳ１４において表示される確認画面の一例が示される。図４（ｃ）には、図２のステップＳ５におけるＣＭ削除設定処理が終了した後に表示される最終画面の一例が示される。
【００４２】
ＣＰＵ１１が、図２のステップＳ５に示されるＣＭ削除設定処理を開始すると、はじめに、図４（ａ）に示すようなＣＭ削除設定画面が表示される。この画面において、「ＣＭ削除？」というような表示がされる。また、「有効」および「無効」が選択可能に表示される。このように表示することにより、はじめに、ユーザにＣＭ削除をしたいか否かを選択させる。ユーザがＣＭ削除をしたいときは、リモコン１５のカーソルキー１５３を操作して、有効のボタンにポイントを合わせる。無効にしたい場合は、無効のボタンにポイントを合わせる。
【００４３】
ユーザが有効を選択した場合、図４（ｂ）に示すような確認画面が表示される。確認画面では、「多重音声放送のみ録画します。よろしいですか？」というような表示がされる。また、「ＯＫ」および「ＮＯ」が選択可能に表示される。このように、ユーザに対して、ＣＭ削除とすると多重音声放送のみが録画されることが報知される。ここで再び、ユーザは、リモコン１５のカーソルキー１５３を操作して、ＯＫまたはＮＯのボタンにポイントを合わせる。
【００４４】
このように、確認メッセージを表示して、改めてユーザに選択させることにより、多重音声放送以外の放送種の番組が録画されないという不都合を防止することができる。
【００４５】
ユーザが二度目の選択を終えると、図２のステップＳ５におけるＣＭ削除設定処理は終了し、図４（ｃ）に示すような最終画面が表示される。
【００４６】
なお、図４（ａ）において「無効」が選択された場合は、図４（ｂ）に示すような確認画面は表示されず、図４（ｃ）に示すよう最終画面が表示される。このとき、「ＣＭ削除」の欄には、「無効」と表示される。また、図４（ｂ）において「ＮＯ」が選択された場合も、同様に、「ＣＭ削除」の欄には、「無効」と表示される。
【００４７】
本実施の形態において、ＣＭ削除設定処理は、一連の予約録画設定処理の中で行なわれることとしたが、これに限られない。たとえば、入力済みの録画予約情報の変更を、ユーザが選択することにより、ＣＭ削除設定処理が行なわれることとしてもよい。
【００４８】
また、本実施の形態における記録装置としては、ハードディスクレコーダに限られず、ＤＶＤレコーダなどであってもよい。
【００４９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５０】
【図１】本発明の実施の形態における記録装置の構成を示すための機能ブロック図である。
【図２】本発明の実施の形態におけるＣＰＵが実行する録画設定処理の流れを示すためのフローチャートである。
【図３】本発明の実施の形態におけるＣＰＵが実行するＣＭ削除設定処理の流れを示すためのフローチャートである。
【図４】ＣＭ削除設定時の画面表示例を示すための図である。
【符号の説明】
【００５１】
１  アンテナ、２  チューナ、３  デジタル変換部、４  音声処理部、５  エンコーダ、６  ＨＤＤ、７  書込／読出制御部、８  デコーダ、９  アナログ変換部、１０  出力部、１４  入力部、１５  リモコン、１６  ＯＳＤ回路。
【図１】
2006014041.tif 000003
【図２】
2006014041.tif 000004
【図３】
2006014041.tif 000005
【図４】
2006014041.tif 000006